Podtech/llm-jp-corpus-v4-ja_patent huggingface dataset:
(57)【要約】【課題】  定量計量カップが前後方向に傾いても、一人前分のラーメンスープ、そばつゆ、うどんつゆ等の所定量を確実に計量して取り出し、ラーメン丼等に注ぐことができるように改良された計量器の提供する。【解決手段】  ラーメンスープ、そばつゆ、うどんつゆ等の液体用定量計量器であって、これらの液体をすくい取るための定量計量カップと把手とを備えており、定量計量カップのみかけ上の容積が計量すべき定量より大きく形成されていると共に、定量計量カップの左右方向に切欠部が形成されており、定量計量カップの容積が該切欠部によって形成されるラーメンスープ，そばつゆ，うどんつゆ等の液面位置において計量すべき定量となるようにする。【選択図】  図１
2005321283.tif 000002
【特許請求の範囲】
【請求項１】
ラーメンスープ、そばつゆ、うどんつゆ等の液体用定量計量器であって、これらの液体をすくい取るための定量計量カップと把手とを備えており、定量計量カップのみかけ上の容積が計量すべき定量より大きく形成されていると共に、定量計量カップの左右方向に切欠部が形成されており、定量計量カップの容積が該切欠部によって形成されるラーメンスープ，そばつゆ，うどんつゆ等の液面位置において計量すべき定量となるようにしてある液体用計量器。
【請求項２】
定量計量カップの左右方向両側若しくは左右方向片側に切欠部が形成されている請求項１に記載の液体用定量計量器。
【発明の詳細な説明】
【技術分野】
【０００１】
本発明は、主に、ラーメンスープ、そばつゆ、うどんつゆ等の一人前分の所定量を確実に計ることができると共に、一人前ずつ丼等に盛ったラーメン、そば、うどん等の麺に、所定量を確実に注ぐことができるようにした液体用計量器に関するものである。
【背景技術】
【０００２】
従来，ラーメン屋やそば屋においては、ラーメンスープ、そばつゆ、うどんつゆ等の一人前分の所定量を計量すると共に、茹でて一人前ずつ丼に盛った麺に所定量のラーメンスープ、そばつゆを正確に注ぐため、図２に示したように、ラーメンスープ、そばつゆ、うどんつゆ等の一人前分の所定量と一致する容積を有する定量計量カップ１０に把手１１を固着した計量器が使用されている。
【０００３】
この計量器は、把手１１の基端部をつかみ、定量計量カップ１０をラーメンスープ、そばつゆ、うどんつゆ等を蓄えた容器に入れて引き上げるだけで、一人前のラーメンスープ、そばつゆ、うどんつゆ等を計量して取り出すことができるので、複数人分のラーメンやそばを均質に、かつ、注文を受けてから迅速に製作できる利点があるが、把手１１の基端部をつかんで、ラーメンスープ、そばつゆ、うどんつゆ等の計量とラーメンスープ、そばつゆ、うどんつゆ等の取り出しの作業を行うので定量計量カップ１０が前後方向に傾き易く、定量計量カップ１０が前後方向に傾くと、ラーメンスープ、そばつゆ、うどんつゆ等が定量計量カップ１０の前縁部からこぼれてしまい、一人前分のラーメンスープ、そばつゆ、うどんつゆ等の所定量を確実に計量して取り出すことができないことがある。
【発明の開示】
【発明が解決しようとする課題】
【０００４】
そこで，本発明は，定量計量カップが前後方向に傾いても、一人前分のラーメンスープ、そばつゆ、うどんつゆ等の所定量を確実に計量して取り出し、ラーメン丼等に注ぐことができるように改良された計量器の提供を目的とするものである。
【課題を解決するための手段】
【０００５】
上記課題を解決するための本発明の液体用計量器の構成は、ラーメンスープ、そばつゆ、うどんつゆ等の液体用定量計量器であって、これらの液体をすくい取るための定量計量カップと把手とを備えており、定量計量カップのみかけ上の容積が計量すべき定量より大きく形成されていると共に、定量計量カップの左右方向に切欠部が形成されており、定量計量カップの容積が該切欠部によって形成されるラーメンスープ，そばつゆ，うどんつゆ等の液面位置において計量すべき定量となるようにしてあるものである。
【０００６】
そして、上記液体用計量器において、前記切欠部は、定量計量カップの左右方向両側若しくは左右方向片側に形成することができるものである。
【発明の効果】
【０００７】
本発明は、上記の通り構成したから、把手の基端部をつかんで定量計量カップをラーメンスープ、そばつゆ、うどんつゆ等を蓄えた容器に入れて引き上げると、所定量以上のラーメンスープ、そばつゆ、うどんつゆ等は、定量計量カップの切欠部から流出するので、一人前分のラーメンスープ、そばつゆ、うどんつゆ等の所定量を確実に計量することができるのであり、ラーメン丼等に注ぐまでの間に、液体用定量計量器の定量計量カップが前後方向に傾いても、定量計量カップの切欠部の前方の壁がラーメンスープ、そばつゆ、うどんつゆ等の定量計量カップからの流出を防止するので、一人前分のラーメンスープ、そばつゆ、うどんつゆ等の所定量を確実にラーメン丼等に注ぐことができる。
【実施例】
【０００８】
以下、 図１を参照して，本発明の実施の一形態を説明する。
【０００９】
図１に示した本発明の実施形態は、一人前のラーメンスープ、そばつゆ、うどんつゆ等を定量とする定量計量カップ１と、定量計量カップ１に固着された基端部が屈曲した把手２とを備えている。
【００１０】
定量計量カップ１の容積は、一人前のラーメンスープ、そばつゆ、うどんつゆ等の所定量よりも大きく設定されている。そして、定量計量カップ１の左右方向両側には、切欠部３、３が形成されている。該切欠部３、３の切欠深さは、該切欠部３、３以下の定量計量カップ１の容積が一人前のラーメンスープ，そばつゆ，うどんつゆ等の所定量と一致するように定められている。
【００１１】
そこで、把手２の基端部をつかんで定量計量カップ１をラーメンスープ、そばつゆ、うどんつゆ等を蓄えた容器に入れて引き上げると、所定量以上のラーメンスープ、そばつゆ、うどんつゆ等は、定量計量カップ１の切欠部３、３から流出するが、切欠部３、３の切欠深さは、該切欠部３、３以下の定量計量カップ１の容積が一人前のラーメンスープ，そばつゆ，うどんつゆ等の所定量と一致するように定められているため、一人前のラーメンスープ，そばつゆ，うどんつゆ等の所定量だけが計量されて取り出されることとなる。
【００１２】
そして、定量計量カップ１内のラーメンスープ、そばつゆ、うどんつゆ等は、ラーメン丼等に注ぐ以前に、定量計量カップ１が前後方向に傾いても、定量計量カップ１の切欠部３、３前方の壁によって定量計量カップ１から流出すること防止され、かつ、ラーメンスープ、そばつゆ、うどんつゆ等の液面は左右方向に揺すらない限り切欠部３、３を超えることがないので、一人前のラーメンスープ，そばつゆ，うどんつゆ等の所定量を確実に計量して取り出し、ラーメン丼等に注ぐことができる。
【図面の簡単な説明】
【００１３】
【図１】本発明の実施の１形態に係る液体用定量計量器の斜視図である。
【図２】従来の液体用定量計量器の斜視図である。
【符号の説明】
【００１４】
１    定量計量カップ        
２    把手          
３    切欠部        
１０    定量計量カップ
１１    把手        
【図１】
2005321283.tif 000003
【図２】
2005321283.tif 000004
(57)【要約】【課題】  カラオケで酒に酔った時やうろ覚えの曲の転送番号を探すのに楽な方法は無いかと考えた。【解決手段】  マイクに向かい少しイントロを歌いコンピュータリサーチして転送番号を探す。【選択図】      図１
2005321461.tif 000002
【特許請求の範囲】
【請求項１】
通常のビジュアルディスプレイ機能の付いたカラオケ機器に、マイクに付けた１つのスィッチを一回押してマイクに向かって約５秒程度唄を歌い同じスィッチをもう一度押すと、大量の歌がインプットされ検索学習されたコンピュータが搭載されており、上記コンピュータが、上記マイクで５秒程度歌った音のメロディでアーチスト名、曲名、演奏番号を素早く検索して付随しているビジュアルディスプレイに表示される。それを確認して上記マイクに付いているもう１つの転送ボタンスィッチを押すと、表示されている歌が演奏入力出来るというカラオケイントロ検索マイク。
【発明の詳細な説明】
【技術分野】
【０００１】
本発明は、カラオケマイクと付随している機器に関するものである。
【背景技術】
【０００２】
カラオケの歌いたい曲名やアーチスト・演奏番号を探す時、本で調べたり小型コンピュータを使って知っているアーチスト名や曲名を基に演奏番号を調べていた。
【０００３】
歌いたい曲のイントロは知っていても、アーチスト名や曲名が分からずに歌いたいのを断念する場合があるという問題点があった。
【発明の開示】
【発明が解決しようとする課題】
【０００４】
マイクに向かって歌いたい歌の覚えているイントロを５秒程度歌うだけで歌の名前（曲名）と歌手名（アーチスト名）と演奏番号が素早く分かるシステムは無いかと考える。
【課題を解決するための手段】
【０００５】
本発明、カラオケ機器に予めイントロを５秒程度歌うだけで曲名、アーチスト名、演奏番号を素早く検索するという特種なコンピュータを搭載しておいて、スィッチボタン等の機能を利用してマイクに向かって５秒程度歌を歌うだけで、歌った曲のイントロを基に上記コンピュータが曲名、アーチスト名、演奏番号を検索してビジュアル画面に表示され、正しければスィッチ等を押して演奏出来るというシステムを発明した。
【発明の効果】
【０００６】
上述したように、本発明のカラオケイントロ検索マイクによれば、酒に酔って頭の回転が弱い時や、うろ覚えの歌をどうしても歌いたい時などに簡単に演奏番号を探すことが出来る。
【発明を実施するための最良の形態】
【０００７】
以下、本発明の実施の形態を図に基づいて説明する。
【実施例】
【０００８】
使い方は、図１−ＡのＢマイクのＣボタンを１回押して、Ａの部分に向かい５秒程度歌い、Ｃボタンをもう１回押すと付随したカラオケ機器に搭載されているコンピュータが上記歌ったイントロのメロディから、図２−Ｇ曲名、アーチスト名、図２−Ｉ演奏入力番号が表示されて、図１のＤのボタンを押すと図２のような形で付随したカラオケ機器のビジュアルディスプレイの角の所に表示される。
【図面の簡単な説明】
【０００９】
【図１】カラオケイントロ検索マイクの外観図である。
【図２】付随しているビジュアルディスプレイ画面の角の所に表示する曲名等の表示の仕方。
【符号の説明】
【００１０】
Ａ    マイクの音を受ける部分
Ｂ    カラオケイントロ検索マイクの外観図
Ｃ    検索ボタン
Ｄ    転送ボタン
Ｅ    マイクの電源
Ｆ    検索ボタンランプ
Ｇ    曲名の表示の仕方の例
Ｈ    アーチスト名の表示の仕方の例
Ｉ    演奏番号の表示の仕方の例
【図１】
2005321461.tif 000003
【図２】
2005321461.tif 000004
(57)【要約】【課題】  排気口からの臭いを押さえることができる画像形成装置の排気ダクトを提供する。【解決手段】  画像形成装置本体１の任意の面にあって、斜め下方向に向けて取り付けられ、水平方向の断面で排気口１２が形成されている画像形成装置の排気ダクト１１。【選択図】  図２
2005321551.tif 000002
【特許請求の範囲】
【請求項１】
画像形成装置本体の任意の側面にあって、斜め下方向に向けて取り付けられ、水平方向の断面で排気口が形成されていることを特徴とする画像形成装置の排気ダクト。
【請求項２】
画像形成装置本体の背面下部に取り付けられていることを特徴とする請求項１記載の画像形成装置の排気ダクト。
【請求項３】
ダクト内部に複数の壁が設けられていることを特徴とする請求項１記載の画像形成装置の排気ダクト。
【請求項４】
複数の壁に活性炭シートが貼り付けられていることを特徴とする請求項３記載の画像形成装置の排気ダクト。
【発明の詳細な説明】
【技術分野】
【０００１】
本発明は、画像形成装置の排気ダクトに関する。
【背景技術】
【０００２】
図３は従来例に係る画像形成装置の排気ダクトの上面図、図４は同、正面図である。画像形成装置本体１の背面２にあってその下部には、下向きに気流を排気する(図４矢印Ａ参照)排気ダクト３を設けている。
【発明の開示】
【発明が解決しようとする課題】
【０００３】
上述したように、従来の画像形成装置では、低騒音化と壁汚れ防止のために機械背面から下向きに気流を排気する排気ダクトを設けているが、排気ダクトの排気口面積が小さいため排気流が拡散しにくく、排気口付近の排気流の臭気濃度が高くなり、特にテーブル上に設置された画像形成装置の場合、排気口の高さが座っているユーザーの鼻先になることがあり、臭いが気になるという問題点があった。
本発明は、排気口からの臭いを押さえることができる画像形成装置の排気ダクトを提供することを目的とするものである。
【課題を解決するための手段】
【０００４】
上記目的を達成するために、請求項１記載の発明は、画像形成装置本体の任意の面にあって、斜め下方向に向けて取り付けられ、水平方向の断面で排気口が形成されている画像形成装置の排気ダクトを最も主要な特徴とする。
請求項２記載の発明は、画像形成装置本体の背面下部に取り付けられている請求項１記載の画像形成装置の排気ダクトを主要な特徴とする。
請求項３記載の発明は、内部に複数の壁が設けられている請求項１記載の画像形成装置の排気ダクトを主要な特徴とする。
請求項４記載の発明は、複数の壁に活性炭シートが貼り付けられている請求項３記載の画像形成装置の排気ダクトを主要な特徴とする。
【発明の効果】
【０００５】
本発明の排気ダクトは、画像形成装置本体の任意の面にあって、斜め下方向に向けて取り付けられ、水平方向の断面で排気口が形成されているので、所期の目的を達成することができる。
【発明を実施するための最良の形態】
【０００６】
以下、本発明の実施の形態を図面に従って説明する。
図１は本発明の実施の形態に係る画像形成装置の排気ダクトの上面図、図２は同、正面図である。
本発明の画像形成装置の排気ダクト１１は、画像形成装置本体１の背面２の下部にあって、斜め下方向に向けて取り付けられている。そして排気ダクト１１の排気口１２を水平方向の断面で形成し、排気口面積を大きくしている。つまり、排気ダクト１１の軸方向と直交しない斜めの傾斜角度にて排気口１２の切断した形状となっている。また、排気口１２に流れる気流が均一になるように、排気ダクト１１の内部に軸方向へ延びる複数の壁１３を設け、さらに壁１３の壁面には活性炭シート１４を貼り付けている。排気ダクト１１の取り付け基部には排気ファン１５が設けてある。
【０００７】
次に機能について説明する。排気ファン１５から排気された気流は、排気ダクト１１内部に設けられた複数の壁１３によって排気口１２から均一に分流される。この時、画像形成装置本体１内で発生したトナーやオゾン等の臭気成分は壁１３に貼り付けられている活性炭シート１４に吸着され、排気口１２に達するまでの臭気成分が減少する。
さらに、斜め方向に取り付けた排気ダクト１１の排気口１２を水平方向の断面で形成し、排気口面積を大きくしているため、機外へ排気する際の臭気成分の拡散効果（臭気濃度が薄くなる）がより一層高まり、下向きの排気方向の効果とあいまって臭気が押さえられる。また、同時に低騒音化を図るためには、排気ダクト１１の内部に吸音材と制振材を貼り付けてもよい。また、排気ダクト１１を背面２と一体成形とすれば、部品のコストダウンを図ることができる。
【図面の簡単な説明】
【０００８】
【図１】本発明の実施の形態に係る画像形成装置の排気ダクトの上面図である。
【図２】本発明の実施の形態に係る画像形成装置の排気ダクトの正面図である。
【図３】従来例に係る画像形成装置の排気ダクトの上面図である。
【図４】従来例に係る画像形成装置の排気ダクトの正面図である。
【符号の説明】
【０００９】
１  画像形成装置本体
２  背面
１１  排気ダクト
１２  排気口
１３  壁
１４  活性炭シート
１５  排気ファン
【図１】
2005321551.tif 000003
【図２】
2005321551.tif 000004
【図３】
2005321551.tif 000005
【図４】
2005321551.tif 000006
(57)【要約】     【課題】  機械式冷凍機は液体窒素あるいは液体ヘリウムといった寒剤の供給を必要とせず、手軽に低温環境が得られるという利点がある反面、その機械的動作にともない発生する振動が周辺機器に悪影響を及ぼす。    【解決手段】  本願発明においては、機械式冷凍機の低温部に冷媒溜を設置して、機械式冷凍機の動作中に冷媒を液化あるいは固化しておくことにより、その潜熱を利用して、機械式冷凍機を止めて振動を無くしたときでも、温度上昇を抑えることが可能になる。。    【選択図】    図１
2005321147.tif 000002
【特許請求の範囲】
【請求項１】
低振動冷凍器であって、機械式冷凍機及び該冷凍機の動作によって冷媒を液化又は固化する装置を具備し、該冷凍機を停止させ、該冷凍機により発生する振動を無くしたときにも、該液化又は固化した冷媒の潜熱により低温部の温度上昇を押さえることを特徴とする低振動冷凍器。
【請求項２】
請求項１記載の低振動冷凍器において、上記機械式冷凍機は、ギフォード−マクマホン冷凍機であることを特徴とする低振動冷凍器。
【請求項３】
請求項１記載の低振動冷凍器において、上記機械式冷凍機は、パルス管冷凍機であることを特徴とする低振動冷凍器。
【請求項４】
請求項１記載の低振動冷凍器において、上記冷媒は、ヘリウムであることを特徴とする低振動冷凍器。
【請求項５】
請求項１記載の低振動冷凍器において、上記装置は、断熱消磁冷凍機であることを特徴とする請求項１記載の低振動冷凍器。
【請求項６】
請求項１記載の低振動冷凍器において、上記装置は、希釈冷凍機であることを特徴とする請求項１記載の低振動冷凍器。
【発明の詳細な説明】
【技術分野】
【０００１】
本願発明は、超伝導マグネット、超伝導デバイス、赤外線センサーなどの動作に必要とされる極低温環境を維持する技術に関するものである。特に、液体ヘリウム、液体窒素といった寒剤の供給を必要とせず、液体ヘリウム温度以下の低温環境を生成する冷凍機に使用される。
【背景技術】
【０００２】
寒剤の供給を必要としない機械式冷凍機としては、主に、GM（ギフォード−マクマホン）冷凍機（例えば、下記特許文献１参照）、スターリングサイクル冷凍機（例えば、下記特許文献２参照）又はパルス管冷凍機（例えば、下記特許文献３参照）が使われており、4K程度の低温環境が得られる。さらに、これらとヘリウムの液化、減圧を使った閉サイクル冷凍機、断熱消磁冷凍機と組み合わせることにより、1K以下の低温環境が生成することができる。低温環境を維持するためには、常に機械式冷凍機が動作している必要がある。
【特許文献１】特開２００３−９０６３９号公報
【特許文献２】特開２００３−１９４４２８号公報
【特許文献３】特開２００３−２７９２２０号公報
【発明の開示】
【発明が解決しようとする課題】
【０００３】
低温を維持するためには、機械式冷凍機が常に動作している必要がある。機械式冷凍機には、機械的に動く部品によって誘発される振動、あるいはガスの流れに伴う振動が発生する。この振動は、超伝導デバイスの動作、付属関連機器の動作に悪影響を与える。本発明により、この振動を低減することができる。
【課題を解決するための手段】
【０００４】
本願発明においては、機械式冷凍機の低温部に冷媒溜を設置して、機械式冷凍機の動作中に冷媒を液化あるいは固化しておく。機械式冷凍機の振動を除去したいときには、機械式冷凍機の動作を一旦停止する。このとき回りの環境から熱が流入してくるが、この熱は液化あるいは固化した冷媒の潜熱により吸収する。これにより、一定期間低温部の温度上昇を抑えることが可能になる。冷媒が枯渇した際には、機械式冷凍機を運転して、冷媒を再液化あるいは再固化する。
【発明の効果】
【０００５】
本願発明は、機械式冷凍機を使う低温機器において、その機械的動作により発生する振動が、各種機器に及ぼす影響を避けるためのものである。
【発明を実施するための最良の形態】
【０００６】
以下に本願発明の最良の形態を示す。
【実施例１】
【０００７】
図1は、２段式GM冷凍機と閉サイクルヘリウム３冷凍機を組み合わせた実施例１である。GM冷凍機を動作させ、１段目で窒素を液化し冷媒溜に溜める。２段目でヘリウムを液化し冷媒溜に溜める。GM冷凍機の冷凍能力あるいは低温ステージの設定温度に依存して、冷媒ガスを液化できるようにガス圧を調整する。
【０００８】
GM冷凍機の運転を止めたときには、液体窒素と液体ヘリウムの潜熱により、１段目と２段目の温度上昇が抑えられる。２段目には、閉サイクルのヘリウム３冷凍機が装備されており、その冷却ステージの温度は、GM冷凍機の運転状態に拘わらず、0.4K以下の温度を保つことができる。蒸発したネオンあるいはヘリウムガスは、大気中に放出、圧縮、あるいは吸着剤に吸着させる。液化した冷媒が枯渇したときには、再度GM冷凍機を運転し液化する。以上により、機械式冷凍機から発生する振動を必要なときに無くして、かつ温度上昇を抑えることができる。
【実施例２】
【０００９】
図２は、２段式GM冷凍機と閉サイクルヘリウム３冷凍機を組み合わせた実施例２である。GM冷凍機の１段目においてネオンを液化し冷媒溜に溜める。２段目においてヘリウムを液化し冷媒溜に溜める。GM冷凍機の冷凍能力あるいは低温ステージの設定温度に依存して、冷媒ガスを液化できるようにガス圧を調整する。GM冷凍機の運転を止めたときには、ネオンとヘリウムが蒸発するときの潜熱により、１段目と２段目の温度上昇が抑えられる。２段目には、閉サイクルのヘリウム３冷凍機が装備されており、その冷却ステージの温度は、GM冷凍機の運転状態に拘わらず、0.4K以下の温度に保たれる。蒸発したネオンあるいはヘリウムガスは、大気中に放出、圧縮、あるいは吸着剤に吸着させる。液化した冷媒が枯渇したときには、再度GM冷凍機を運転し液化する。以上により、機械式冷凍機から発生する振動を必要なときに無くして、かつ温度上昇を抑えることができる。
【産業上の利用可能性】
【００１０】
本願発明は、超伝導マグネット、超伝導デバイス又は赤外線センサー等の極低温を必要とする装置に有効である。
【図面の簡単な説明】
【００１１】
【図１】本願発明に係る冷凍機システムの実施例１
【図２】本願発明に係る冷凍機システムの実施例２
【図１】
2005321147.tif 000003
【図２】
2005321147.tif 000004
(57)【要約】【課題】  食品を電子レンジで加熱する際、電子レンジのむら焼けを防ぐため、電子レンジのプレートは回転しているが、単純な回転運動のため、むら焼けしている。プレートの動きを単純な回転運動ではなく、回転運動の中心を回転させたりすることにより、回転が複雑になり、食品が電子レンジの中を中心部から外方向に動いたり、外から中心部に動いたりと、食品の動きを複雑にすることにより、むら焼けを防止する。【解決手段】  プレートが回転する回転運動の中心を回転したり、プレートが外周の内法の中を回転したりと、単純な構造でプレートに２種類以上の回転運動を与えて、食品が庫内を回転するだけでなく、庫内の中心部から外周に外周から中心部に動きながら回転することにより、むら焼けを防ぐことが出来る。  尚、むら焼けを防ぐために庫内の電波を制御する方法もあるが、消費者の目でむら焼け防止の効果を実感できる。【特許請求の範囲】
【請求項１】
電子レンジのプレートの回転方法であり、庫内を単純に単一の中心で回転するのみならず、回転の中心を移動することで、より複雑にプレートが回転することにより、食品に複雑な動きを与えてむら焼けを防ぐ。
【請求項２】
電子レンジのプレートの回転方法であり、庫内を単純に単一の中心で回転するのみならず、外周の内法に接して回転させたり、同方法の回転方法をプレートに与えて回転させることにより、より複雑にプレートが回転することにより、食品に複雑な動きを与えてむら焼けを防ぐ。
【発明の詳細な説明】
【発明が属する技術分野】
【０００１】  本発明は、電子レンジのプレートの機械的な動きにより食品のむら焼けを防ぐ手段である。
【背景技術】
【０００２】  電子レンジのプレートの動きは単一の中心を持つ単純な円運動で、プレートの上に乗った食品は庫内を単純に回転するだけである。
【発明の開示】
【発明が解決しようとする課題】
【０００３】  従来のプレートの動きは、庫内の中心部から外周へ、または外周部から中心部へという動きはない。また、複数の食品を庫内に置いたとき、外周を回る食品は外周だけ、中心部を回る食品は中心部だけとむら焼けする要素がある。【０００４】  電子レンジの庫内のプレートを動かさないで、庫内均等に電波を当てることにより、むら焼けを防ぐ方法もある。この方法は目に見える動きがないので、消費者には分りにくい。【０００５】  電子レンジの庫内に複数の食品を置いた時、全部の食品が同じ状態で出来上がればよいが、電子レンジの外周部に電波が強くなる性質がある。プレートの回転の中心を移動したりすることにより、中心部から外周部へ、外周部から中心部へと別の動きをさせることにより食品に均等に電波を当ててむら焼けを防止することができる。
【課題を解決するための手段】
【０００６】  本発明の実現方法として、現在はプレートの回転する中心は固定的であるが、この中心を、回転させるとプレートは、天文学に例えると自転しながら公転する。こうすると、プレート上の食品は単純な回転運動ではなく、中心部から外周部へ外周部から中心部へ移動しながら回転する。【０００７】  本発明の実現方法として、プレートの回転する中心を回転させるだけではなく、機械的に前後左右やランダムに移動させることを含む。【０００８】  本発明の実現方法として、プレートを外周の内法に接して回転させることにより、同様の動きを食品に与えることができる。また、プレートの一部と庫の底辺部にこの動きを持つ機能を持たせて、プレート全体を大きくすることにより、同様の効果を得ることができる。
【発明を実施するための最良の形態】
【０００９】  本発明の実施の形態として庫内のプレートを回転させる中心を更に回転させる装置を有する。但し、装置は回転運動だけでなく、前後左右にランダムに動くことも考えていい。【００１０】  また、複雑な回転が不要な調理をする場合もあるので、スイッチにより回転を止める選択肢もあっていい。【００１１】  また、本発明の問題点は単純な回転のほうが庫内の大きさを生かすことが出来ることであるが、従来通りの回転も選択肢とすることにより、消費者が大きな皿を使った場合など、従来通りの回転のほうが望ましい場合、従来通りの回転を選択できる選択肢があっていい。
【発明の効果】
【００１２】  本発明を実現することにより、例えば冷凍のたこ焼きを暖める場合など、複数の食品をむら無く暖めることができる。また、庫内の動きを見ることが出来るため、消費者もむら焼けのしない工夫が実見できる。
【発明を実施するための最良の形態】発明の効果と同じ。
【図面の簡単な説明】
【００１３】
【図１】本発明の回転するプレートの中心が回転する場合の模式図である。
【図２】本発明のプレートが外周円の内法に接して回転する場合の模式図である。
【図１】
2005321178.tif 000002
【図２】
2005321178.tif 000003
(57)【要約】【課題】ポリ塩化ビフェニルをダイオキシン等の有害物を外部に放出する事なく大量を安全に燃焼分解処理する方法として、排ガスを外部に放出しない閉鎖系の燃焼分解処理法を提供する。【解決手段】燃焼分解処理した際に発生する排ガス中の炭酸ガスを回収して化学原料として利用する。燃焼用の酸化ガスとしては酸素を使用し、これに排ガスから炭酸ガスを回収した残りのパージガスを混合して使用することにより、燃焼排ガス外部に放出する事なく、大量の燃焼分解処理を可能にした。【選択図】      図１
2005321130.tif 000002
【特許請求の範囲】
【請求項１】
ポリ塩化ビフェニルを含有する有機溶剤を石油系燃料と共に摂氏８００度以上で燃焼して分解処理した燃焼排ガスを冷却し、燃焼排ガス中の炭酸ガスを吸収液を使用する化学吸収法、活性炭等を使用する物理吸着法、ガス分離膜法等の公知の炭酸ガス回収法で分離、回収して、炭酸ガス吸収塔のパージガスを、酸素と混合して燃焼部のバーナーに送り、循環して使用する事により、ダイオキシン等の有害物を含有する燃焼排ガスを外部に放出する事の無い事を特徴とする、新規なポリ塩化ビフェニルの閉鎖系燃焼分解処理法。
【発明の詳細な説明】
【技術分野】
【０００１】
本発明は、ダイオキシン等の有害物を外部に放出する事なしに、多量のポリ塩化ビフェニル等の有害物を含むの溶剤を閉鎖系に於いて安全に燃焼分解処理法に関するものである。
【背景技術】
【０００２】
ポリ塩化ビフェニルの分解処理に就いては、今まで各所で色々検討されているが、有害な副生物を外部に放出する事なく、大量を安全に分解処理する技術はいまだに開発されていないのが実情であった。
【発明の開示】
【発明が解決しようとする課題】
【０００３】
ポリ塩化ビフェニルの分解処理技術として現在、脱塩素化分解法、超臨界水素化分解法、氣相水素化還元法、真空加熱分離法、燃焼分解法等があるが、いずれも処理量に限界がある、設備費が多大である、被分解物がリークする、ダイオキシン等有害物を含む燃焼排ガスが多量発生しそれを外部に放出する事等の理由から、処理能力不足、近隣住民等の合意が得られない等の障害により十分な成果が得られていないのが実状である。
本発明は、大量処理の可能な燃焼分解処理法の欠点であった、再合成されたダイオキシン等の有害物を含む燃焼排ガスを多量外部に放出する問題点を、燃焼排ガス中の炭酸ガスを回収し、炭酸ガス吸収塔からのパージガス及び生成水を循環使用して装置を閉鎖系にする事により解決した。
【課題を解決するための手段】
【０００４】
ポリ塩化ビフェニルを摂氏８００度以上で燃焼分解すると、その構成元素である炭素と水素は酸素と反応してそれぞれの酸化物を生成するが、塩素はその化合物として燃焼排ガス中に存在すると考えられる。これらが冷却されると微量のダイオキシンが再合成される。それ故、燃焼排ガス中にダイオキシンを再合成させない為には、塩素化合物を完全に除去すれば良いのであるが、微量の残留塩素が問題なので、現存工業的には完全除去は困難である。そこで本発明者は、燃焼排ガスの主成分である炭酸ガスを分離回収して、炭酸ガス吸収塔からのパージガスを外部に放出せずに酸素と混合して、処理装置内のバーナーに循環する方法を開発した。酸素源として空気を使用する場合には、多量の窒素がこの燃焼排ガスに存在するので、その全量循環は不可能となるが、空気の代わりに酸素を使用すれば、燃焼排ガスの成分は、炭酸ガス、水、一酸化炭素、塩素とその化合物、燃料等の不純物と混入空気由来の窒素とその化合物等である。それ故この燃焼排ガスから公知の方法で炭酸ガスと水を回収した上で、炭酸ガス吸収塔のパージガスを酸素と混合して本装置のバーナー部で循環使用し、生成水は乳化燃料の成分等として使用すれば、本発明のポリ塩化ビフェニル燃焼分解法は閉鎖系となり、外部にダイオキシンを含有する燃焼排ガスを放出する事は無い。
【発明の効果】
【０００５】
本発明のポリ塩化ビフェニルの閉鎖系燃焼分解法を採用する事により、現在大きな社会問題となっている多量のポリ塩化ビフェニル等の有害物質を、周辺にダイオキシンを含有する燃焼排ガスの排出等のトラブルを与える事無く安全に多量の有害物を処理する事が出来、更に食品の安全な冷却材であるドライアイスや消火材、高級ポリマーや各種化学薬品の原料である炭酸ガスを副製する事が可能となる。
【発明を実施するための最良の形態】
【０００６】
本発明を実施するには、図１に示した様な装置を使用する。燃料は石油系液体燃料を使用し、これにポリ塩化ビフェニル等を含有する溶剤と水と添加剤を攪拌しながら投入し乳化状態にする。この水は、この装置の気液分離塔で分離された水分を使用しても良いし、又関係する廃熱スチームタービン等からの余剰水でも良い。燃焼炉及び蓄熱炉の温度を分解最適温度である摂氏８００度以上に保つ様に、回収ボイラーの供給水の量を調節する。発生した蒸気は発電タービン等に使用する。１次と２次燃焼炉では、ポリ塩化ビフェニルを含有する溶剤、燃料油、水と添加物からなる水乳化燃料を炭酸ガス吸収塔からのパージガスと酸素の混合ガスを使用して燃焼させるのに適当なバーナーを使用する。ポリ塩化ビフェニルを完全に分解するために蓄熱炉を設け、そこに燃焼分解で発生した塩素化合物や硫黄酸化物と反応するか吸着する成分を含有するセラミック体を充填して、塩素や硫黄の化合物を固定する。ダイオキシンを再合成させない為には、燃焼排ガスを３００度以下に急冷する事が望まれる。これを実現するため、１次急冷室で多管式熱交換器により急冷し、更に２次急冷室においては水と直接接触する水洗式により、燃焼排ガスを洗浄すると共に排ガスの温度を８０度に低下さた後に燃焼排ガスと洗浄水を分離する。
この排ガスを炭酸ガス吸収塔と炭酸ガス分離塔に送り、燃焼排ガス中の炭酸ガスを回収し、パージガスは装置内に戻しを循環させ、炭酸ガスは液体ガスや各種化学薬品や高分子の原料として利用される。生成水は水乳化用燃料や蒸気用源水、洗浄用源水として循環使用するが、スチームタービン等の凝縮水を含めて、用水を外部に排出する必要がある場合は、公知（特開公２００２−３５７７２）の方法により人工酵素を使用し、ダイオキシン等の有害物を無害化する事が出来る。
【図面の簡単な説明】
【０００７】
【図１】本発明のポリ塩化ビフェニルの閉鎖系燃焼分解処理法のブロックシートの概要を示す。
【符号の説明】
【０００８】
１      ポリ塩化ビフェニルを含有する溶剤等
２      石油系燃料油
３      添加剤
４      水
５      蒸気用源水
６      洗浄用源水
７      高温蒸気
８      蒸気
９      水乳化燃料を燃焼するバーナー
１０    循環洗浄水送付ライン
１１    油・水乳化燃料用回収洗浄水送付ライン
１２    酸素・パージガス混合燃焼用ガス送付ライン
１３    循環吸収液送付ライン
【図１】
2005321130.tif 000003
(57)【要約】【課題】従来の掃除機もしくは粘着式ロール（テープ）等での絨毯、カーペット類の清掃はペットの毛、人の毛髪等がそれら絨毯等の表面にある場合はある程度除去可能であるが、毛髪等が絨毯類の中に絡み付いている場合は全く除去不能である。また、粘着ロール（テープ）面の接着剤が絨毯カーペット類の表面に付着したり、ロール（テープ）の消費量も多い等の課題が残されていた。【解決手段】ワイヤー等の硬質で適切な長さを持ち、それが密集した状態にあるブラシを設けたことを特徴とする絨毯、カーペット類用の清掃用具。  【選択図】図１
2005323706.tif 000002
【特許請求の範囲】
【請求項１】
ヘアブラシ状のヘッドを設けた絨毯、カーペット類の掃除用具
【請求項２】
ヘアブラシ状のヘッドには硬質の密集したブラシが設けられており、そのブラシヘッドには楽な姿勢で掃除が出来るようような柄の部分が設けられている請求項１記載の清掃用具
【発明の詳細な説明】
【技術分野】
【０００１】
この発明は絨毯、カーペット類に付着した動物（ペット等）の毛、人の毛髪等通常の掃除機では除去出来にくい異物を簡便かつ容易に除去する為の用具である。
【０００２】
従来においては、絨毯、カーペット類の掃除においては、通常の掃除機で行うか、もしくは粘着ロール（テープ）等での接着方式により部分的な毛髪等の除去を行っていた。
【発明の開示】
【発明が解決しようとする課題】
【０００３】
従来の掃除機もしくは粘着式ロール（テープ）等での絨毯、カーペット類の清掃はペットの毛、人の毛髪等がそれら絨毯等の表面にある場合はある程度除去可能であるが、毛髪等が絨毯類の中に絡み付いている場合は全く除去不能であり、特にペットの毛の場合はそれが顕著である。また、粘着ロール（テープ）面の接着剤が絨毯カーペット類の表面に付着したり、ロール（テープ）の消費量も多い等の課題が残されていた。
【課題を解決するための手段】
【０００４】
以上の問題点を解決する為に、第１発明は、ワイヤー等の硬質で適切な長さを持ち、それが密集した状態にあるブラシを設けたことを特徴とする絨毯、カーペット類用の清掃用具。
また、第２発明はそのブラシヘッドに、人が楽に清掃できるように適切な長さの柄が設けられた事を特徴とする上記清掃用具。
【発明の効果】
【０００５】
第１発明または第２発明によれば、絨毯もしくはカーペットに絡みついたペットの毛、人の毛髪等が簡単にかつ確実に取れる。
【発明を実施するための最良の形態】
【０００６】
この発明の清掃用具を図１に示す。
ブラシヘッドの本体１は樹脂製・木製・アルミ製等の極力軽量のものであり、幅としては10〜20cm程度の長さのものが清掃を行うのに効率的である。この本体１の裏面には0.1〜1mm程度、長さ0.5〜2cm程度の硬質（ex.ワイヤー等）のブラシ２が１cm2あたり１０本以上密集した状態となっている。このブラシは絨毯の中の絡み付いた毛髪等をこのブラシでかき寄せるという性格上、ある程度折れ曲がった形状を持つものでも良い。ブラシヘッド１の本体には人が楽に清掃出来る長さ（数10cm〜1.5m)程度の柄３が取りつけられている。この用具は通常熊手のように絨毯、カーペット類の上からかき寄せるようにして中の絡み合った毛髪等を取ることが出来る。
【０００７】
「実施形態の効果」
この実施形態によれば、ヘアブラシのようにかき寄せて操作する事によって,人が簡便にかつ確実に毛髪等の除去が可能になる。また、ブラシヘッドの幅を適切な長さにする事によって、操作性及び効率性を高める事ができる。
【図面の簡単な説明】
【０００８】
【図１】この発明の一実施形態を示す斜視図である。
【符号の説明】
【０００９】
１  ブラシヘッド          ２  ブラシ
３  柄
【図１】
2005323706.tif 000003
(57)【要約】【課題】冷水・氷水洗顔方法は皮膚を引締め,毛穴の開きやシワの防止等に効果がある事は限られた人の間では知られていた方法であるが、従来の方法において、冷水・氷水等で洗顔する場合、直ぐに手が冷たくなり、長時間の実施が困難である事、また、洗顔場所も水を使える場所に限られており、手軽にどこででも出来ない事等の問題があり、長続きしない要因になっていた。【解決手段】冷水・氷水等を入れ、どこででも手軽に顔を冷却出来るために本体上部は氷、冷水等が入れ易いような硬質のキャップ口を持ち、下部には冷水・氷等が保有出来る様にポリエチレン・ビニール・ゴム等の軟質の袋状容器からできた冷水容器を用い、顔の保湿性を高める為に、ガーゼ・綿布・紙等の保湿材に水をしみ込ませた保湿材を用い、その上から前記容器で冷却する保湿・冷却一体化美容方法。【選択図】図１
2005323707.tif 000002
【特許請求の範囲】
【請求項１】
冷水・氷水等により顔の皮膚を引締めシワを取る事等を目的とする為、本体上部は氷、冷水等が入れ易いような硬質のキャップ口を持ち、下部には冷水・氷水等が保有出来る様にポリエチレン・ビニール・ゴム等の軟質の袋状容器からできた冷水容器。
【請求項２】
請求項１記載の軟質の袋状冷水容器に予め保湿材として、ガーゼ・綿布・紙等の保湿材を張り付けた冷水容器、もしくはそれら保湿材を袋状冷水容器の形状に予め作成し、この中に請求項１記載の容器を挿入して保湿材と冷水容器の一体化を図ると共に、取り外し可能とする事により、保湿材の交換・洗浄を可能とした冷水容器。尚、この保湿材についてはトルマリン仕様のものも効果的である。
【請求項３】
顔の保湿状態を保つ為、ガーゼ・綿布・紙等の保湿材に水をしみ込ませた保湿材をその部分に当て、請求項１記載の冷水容器をその上から当てる事によって、保湿・冷却を一体とする美容方法。もしくは、請求項２記載の保湿材・冷水容器一体型の容器を用いての美容方法。
【発明の詳細な説明】
【技術分野】
【０００１】
この発明は顔の美容の為に、顔の素肌を冷却し、引締める為の冷水容器及び保湿・冷却一体の美容方法である。
【０００２】
従来の美容洗顔方法では、ぬるま湯等により顔の汚れを落とし、その後場合によっては冷水・氷水等により顔を洗っていた。この冷水・氷水洗顔方法は皮膚を引締め,毛穴の開きやシワの防止等に効果がある事は限られた人の間では知られていた方法である。
【発明の開示】
【発明が解決しようとする課題】
【０００３】
上記従来の方法において、冷水・氷水等で洗顔する場合、直ぐに手が冷たくなり、長時間の実施が困難である事、また、洗顔場所も水を使える場所に限られており、手軽にどこででも出来ない事等の問題があり、長続きしない要因になっていた。また、その冷水洗顔効果についてもその効果の認識が万人に理解されていると言う状態にもなっていなかった。
【課題を解決するための手段】
【０００４】
以上の問題点を解決する為に、第１発明は、冷水・氷水等を入れ、どこででも手軽に顔を冷却出来るために本体上部は氷、冷水等が入れ易いような硬質のキャップ口を持ち、下部には冷水・氷等が保有出来る様にポリエチレン・ビニール・ゴム等の軟質の袋状容器からできた冷水容器。
また、第２発明は顔の保湿性を高める為に、ガーゼ・綿布・紙等の保湿材に水をしみ込ませた保湿材を用い、その上から上記第１発明の容器で冷却する保湿・冷却一体化美容方法。もしくは請求項２記載の保湿材・冷水容器一体型の容器を用いての保湿・冷却美容方法。
【発明の効果】
【０００５】
第２発明に記載された保湿材を顔にあて、その上から第１発明の冷水容器で顔の必要部分を冷却する事により、冷水もしくは氷水で何度も洗顔した時と同じような顔の引き締め効果、しわ取り効果等を得る事ができた。
【発明を実施するための最良の形態】
【０００６】
この発明の冷水容器を図１に示す。
本体容器は上部にある程度の大きさの氷を入れる事ができる大きさ（直径数cm程度）の硬質キャップ１が付いている。また、このキャップ１の下には氷、冷水等が入る軟質のポリエチレン・ビニール・ゴム等からできた袋状の容器２が付いている。この袋状の軟質容器の大きさは内容積としては数１０ml〜数１００ml 程度であり、この大きさは顔の冷却部分の用途・必要性に合わせて適宜変えることが出来る。硬質のキャップ１の個所を手で掴み、下に付属しているこの軟質のポリエチレン・ビニール・ゴム等からできた袋状の個所を顔に押しあてて使用する。
第２発明に記載されているガーゼもしくは綿布・紙等の保湿材は通常数mm〜1cm程度の厚みを持ち、ある程度長時間使用しても充分保湿可能な厚みを持っている事が望ましい。
また、この保湿材は第１発明記載の冷水容器に予め張り付けるか、もしくは保湿材を袋状冷水容器の形状に予め作成し、この冷水容器をこの中に挿入して保湿材と冷水容器の一体化を図ると共に、取り外し可能とする事により、保湿材の交換・洗浄を可能としたものでも良い。
【０００７】
「実施形態の効果」
第１発明、第２発明で記載された方法を用い、どこででも、空いた時間に冷却水の冷たさを手に感じる事は無く冷却美容を行うことが出来、簡単に氷水洗顔方法と同じ効果が得られた。軟質の袋状冷水容器２は顔面の形状に添って適度に変形する事から、顔の奥まった個所の冷却も可能とする。また、お風呂あがりや日焼けによる顔の火照りに対しても、この方法による保湿・冷却を施すことにより、その回復効果がある。また、この冷却方法は部分痩せにも効果がある。
【図面の簡単な説明】
【０００８】
【図１】冷水容器本体の斜視図である。（図１の右図は左図の袋状冷水容器部分に保湿材を張り付けた容器の場合である）
【符号の説明】
【０００９】
１  キャップ（水、氷の入り口）
２  軟質のポリエチレン・ビニール・ゴム等の容器
３  保湿材（ガーゼ、綿布、紙等）
【図１】
2005323707.tif 000003
(57)【要約】【課題】従来の掃除機では絨毯・カーペット類について、アトピー等の原因にもなるダニ等の滅菌・殺菌作用については何らその機能を持っていない。【解決手段】従来の掃除機の吸引ヘッドの中に、温風吹き付け機能を設けることを特徴とした乾燥・滅菌・殺菌作用付きの掃除機。【選択図】図１
2005323708.tif 000002
【特許請求の範囲】
【請求項１】
掃除機の吸引ヘッド本体に温風吹き出し機能を付加した掃除機。尚、この掃除機、温風器の機能は個別に使用可能なものである。
【請求項２】
ヘッド本体内で吹き出された温風は、温風ボックス等と下面との間の隙間を通って吸引ヘッドの吸引口に吸い込まれ、極力外に漏洩しないような機構が設けられている請求項１記載の掃除機。
【発明の詳細な説明】
【技術分野】
【０００１】
この発明は、絨毯・カーペット・畳等のアトピー等の原因にもなるダニやカビ等の対策として、５０℃以上７０℃以下の温風を掃除機吸ヘッド本体内の吹き出し口から吹きつけ、乾燥させると共に、滅菌・殺菌作用を図る為のものである。また、布団等についてもこの温風機能付き掃除機を当てる事によって、前記目的を果たす事が出来る。
【０００２】
従来の掃除機は単に吸引によってゴミ等を除去する機能のみであり、その延長で、ブラシ機能をもつものがあるが、これとて絨毯等のゴミをブラシで掘り起こして、これを吸引して除去するものであり、吸引して清掃する事以外の機能はない。
【発明の開示】
【発明が解決しようとする課題】
【０００３】
従来の掃除機では散在するゴミ等については吸引方式での除去は可能だが、絨毯・カーペット類について、アトピー等の原因にもなるダニ等の滅菌・殺菌作用については何らその機能を持っていない。また、湿った絨毯、布団等の乾燥機能についてもその機能を持っていない。
【課題を解決するための手段】
【０００４】
以上の問題点を解決する為に、第１発明は、掃除機の吸引ヘッドの中に温風吹き付け機能を設けることを特徴とした乾燥・滅菌・殺菌作用付きの掃除機。
また、第２発明はその噴出された温風が極力外に漏洩しないように、従来の吸引口から排風を極力回収する事を特徴とする請求項１記載の掃除機。
【発明の効果】
【０００５】
第１発明及び第２発明を付随した掃除機によって、乾燥・滅菌・殺菌したい個所へ温風を吹きつける事によって、これら目的を果たす事が出来る。
【発明を実施するための最良の形態】
【０００６】
この発明の掃除機吸引ヘッド本体のイメージを図１に示す。
吸引ヘッド本体１の中にはスリット状もしくはノズル等の温風噴出口５が設けられている温風ボックス４が付いている。温風は掃除機のしかるべき適当な位置にある温風発生器２から発生し、温風パイプ３を経由してスリット５を通して、下の例えば絨毯等に吹きつけられる。温風排ガスは温風ボックス４の下部と例えば絨毯等との隙間を通り抜けて吸引パイプ６を経由して排気される。通常の掃除機に装着されている回転ブラシ機構は従来通りの機構とすることを妨げない。温風温度はダニ等が死滅する５０℃以上、また、絨毯、布団類の繊維が焦げ付かない為に７０℃以下に設定する事が望ましい。
【０００７】
「実施形態の効果」
この実施形態によれば、噴出口から吹き出された温風によって、湿った個所の乾燥、ダニ等の滅菌・殺菌作用の機能を果たすことが出来る。
【図面の簡単な説明】
【０００８】
【図１】温風吹き出し口がスリットの場合の吸引ヘッド本体のイメージを示す斜視図である。
【符号の説明】
【０００９】
１  掃除機吸引ヘッド      ２  温風発生器
３  温風パイプ            ４  温風ボックス
５  スリット（ノズル）    ６  吸引パイプ
７  温風                  ８  排気ガス
【図１】
2005323708.tif 000003
(57)【要約】【課題】      釣り用の靴等を収容する靴入れにあって、内部に靴を入れてたままの状態での屋外乾燥を可能にし、多量の水を含んだ状態の靴を短時間の内に乾燥できるようにするとともに、濡れたままの状態の靴を納めて携行できるようにすることを目的とする。【解決手段】  上方に開口部を形成し、該開口部に蓋体を配置させ、底部を網体あるいは多数の孔を形成した素材で構成した収容部と、底部を遮水性のシート材で形成した底蓋からなり、容器の底部と底蓋とに一対の係合部を形成して、容器の底部に底蓋を脱着させ得るように構成した靴入れ。【選択図】    図３
2005323781.tif 000002
【特許請求の範囲】
【請求項１】
上方に開口部３を形成し、該開口部３に蓋体４を配置させるとともに、底部７を網体あるいは多数の孔を形成した透水性・通気性素材で構成した容器２と、底部を遮水性の素材で構成した底蓋６とからなり、容器２と底蓋６に一対の係合部９を形成し、該係合部９により、底蓋６を任意に脱着させ得るように構成したことを特徴とする靴入れ。
【発明の詳細な説明】
【技術分野】
【０００１】
この発明は、魚釣り等の際に使用する靴入れに関するものである。
【背景技術】
【０００２】
磯釣りや雨天の日に釣りに出かける場合、岩場や濡れている場所で足元が滑るのを防止するため、薄いスポンジの表面にジャージ生地を貼り付けた素材で甲部を形成するとともに、靴底に厚いフェルトを貼り付け、フェルト内にスパイクを埋め込んだ構成の靴を使用する釣り人が多いのである。
このような靴を履いて釣りを終えた場合、靴底全体が多量の水分を含んだ状態となっており、釣りを終わって持ち帰る際には、靴底に含まれた多量の水が滴り落ちるのを防止するため、防水シート材で形成された靴入れに入れて携行する必要があり、従来は、上方部に開口部を形成した防水性の靴入れが使用されているのである。
【発明の開示】
【発明が解決しようとする課題】
【０００３】
密封状態に形成された靴入れに水分を含んだ靴を入れた場合、靴全体がなかなか乾かず、特に、最近のように靴底がフェルトで形成された釣り靴は、そのフェルトが多量の水分を含んだ状態となっており、完全に乾くまで長時間を要することになり、次に使用する際には、未だ湿ったままの状態で、カビや不愉快な異臭を発しているようなことがあるのである。そのようなことを防止するためには、靴入れから靴を取り出して乾燥させる必要があるのであるが、薄いスポンジの表面にジャージ生地を貼り付けた素材の釣り靴は、紫外線に弱く、屋外で乾した場合には、表面が変色して劣化してしまうことになるのである。従って、屋外で乾燥させるとしても、陰干しする必要があり、結局、乾燥するのに長時間を要することになるのである。
【０００４】
この発明は、魚釣りの際に使用する靴を入れるためる靴入れの改良に関するものであって、靴入れに靴を入れたままの状態で屋外乾燥できるようにすることによって、従来ものにみられた上記のような使用勝手の悪さを解消しようとするものである。
【課題を解決するための手段】
【０００５】
上方に開口部を形成し、該開口部に蓋体を配置させ、底部を網体あるいは多数の孔を形成した素材で構成した容器と、底部を遮水性のシート材で形成した底蓋とからなり、容器の底部と底蓋とに一対の係合部を形成して、容器の底部に底蓋を脱着させ得るように形成した構成となっているのである。
【発明の効果】
【０００６】
この発明に係る靴入れは、底部を網体あるいは多数の孔を形成した素材で形成した構成するとともに、底蓋を取り外し得る構成となっているため、底蓋を外した状態にして、内部に靴を入れて吊した場合、図６に示すように、大量の水部を含み、最も乾き難い靴底が網体の上に載った状態になり、靴に含まれた水が滴り落ちるとともに、靴底全体が空気に触れ、短時間で乾燥させることができ、また、靴を入れて屋外に吊り下げて乾した場合でも、靴の上方部が靴入れによって覆われた状態となり、靴が紫外線にあたることがないため、屋外乾燥を可能にして、陰干しでは乾きにくい靴を短時間のうちに乾燥させえるという便利さがあるのである。
【０００７】
また、底部に遮水性の底蓋を装着させ得る構成となっているため、釣りを終えた後の濡れた靴を入れて車中に持ち込んだり、持ち運んでも、靴に含まれた水滴が滴り落ちるを防止出来、安心して濡れた靴を携行し得るという利点があるのである。
【実施例】
【０００８】
図面にもとづいて、この発明の実施例を説明すると、靴入れ本体１は、図１乃至図５に示すとおり、靴を入れ得る大きに設定した容器２の上開口部３に蓋体４を配置して開閉可能に形成するとともに、底部７を網体あるいは目明き状の素材で構成し、その底部７を着脱自在の遮水性の底蓋６で覆えるように形成した構成となっているのである。
【０００９】
すなわち、容器２は、防水性のシートで、釣り等に使用する靴を入れ得る大きさの長さ、横幅、深さをもった大きさに形成されており、開口部に蓋体４の一辺部を縫合して開閉自在に形成し、上縁部にファスナー８の一方部材８ａを縫合するとともに、蓋体４の縁部にファスナー８の他方部材８ｂを縫合した構成となっており、ファスナー８の操作により蓋体４の開閉を行ない得る構成となっているのである。
【００１０】
また、容器２の底部７は、底開口部に透水性及び通気性を備えた網体あるいは目明き状の素材の縁部を縫合固定することによって形成されており、底縁部５の外側部に係合部９を形成するホックの一方部材９ａを複数個取り付けた構成となっているのである。
【００１１】
底蓋６は、図１乃至図４に示すとおり、容器２の底部の形状に対応す形の遮水性シートの縁部に立ち上り部１０を逢着することにより、その内部に容器２の底縁部を挿入し得る構成となっており、また、立ち上り部１０の内側部には、係合部９を形成するホックの他方部材９ｂが複数個取り付けられており、容器２の底縁部５を底蓋６の内部に差し入れた後、ホック９ｂを容器２のホック９ａに係合させることによって、容器２に底蓋６を装着させ得る構成となっているのである。
【００１２】
なお、上記は、係合部９を一対のホックで形成し、ホックの係合により底蓋６を装着させるように構成した場合の実施例であるが、容器２の底縁部に面ファスナーの一方部材を取り付けるとともに、底蓋６の内面部に面ファスナーの他方部材を取り付け、面ファスナーの係合により底蓋６を装着させる構成とすることも可能である。
【図面の簡単な説明】
【００１３】
【図１】靴入れの全体を示す斜視図である。
【図２】靴入れの構成を示す分解斜視図である。
【図３】靴入れの構成を示す分解斜視図である。
【図４】容器の底部の構成を示す切欠き斜視図である。
【図５】容器に靴を入れた状態を示す一部切欠き斜視図である。
【図６】容器に靴を入れた状態の底面図である。
【符号の説明】
【００１４】
１  靴入れ本体
２  容器
３  開口部
４  蓋体
６  底蓋
７  底部
９  係合部
【図１】
2005323781.tif 000003
【図２】
2005323781.tif 000004
【図３】
2005323781.tif 000005
【図４】
2005323781.tif 000006
【図５】
2005323781.tif 000007
【図６】
2005323781.tif 000008